(57)【要約】【課題】フレキシブルディスプレイ及び小型無人航空機を含む内部コンポ―ネントを備えた電子装置を搭載したランドセルの提供。【解決手段】内部コンポ―ネントはフレキシブルディスプレイの部分の下若しくは、荷物入れである本体に搭載される。内部コンポーネントは、フレキシブルディスプレイを通して音を伝送するスピーカのような出力装置であるか、外部の環境に応じて感知される仕方でディスプレイを変形するアクチュエータである。  小型無人航空機を搭載し、平常時には、歩行ナビゲーターとして種々の機能を装備。また災害時には、災害情報などを取得した際に、自立飛行し、予め設定した場所や種々の情報をＡＩにて情報を取得、飛行先を決定することを特徴とするランドセル。小型無人航空機が電子装置を一体化することが好ましい。【選択図】図１
2019088743.tif 000002
【特許請求の範囲】
【請求項１】
ランドセルであって、収納部を覆うカバー部を含み、
前記カバー部又は前期収納部又は肩掛け部の表面にフレキシブルディスプレイが設けられ、前記フレキシブルディスプレイをコントロールするための電子装置を搭載したランドセル。
【請求項２】
前記ランドセルは、前記カバー部の表面に設けられたフレキシブルディスプレイ自体又は収納部内側に空間が形成された筒状の部材があり、端側が部材に接続されていないときには、当該のフレキシブルディスプレイの一部が部材およびフレキシブルディスプレイのいずれかは、内側に収容されることを特徴とする請求項１記載のランドセル。
【請求項３】
前記ランドセルは、さらに小型無人航空機を搭載し、平常時には、歩行ナビゲーターとして種々の機能を装備。また災害時には、災害情報などを取得した際に、自動飛行し、予め設定した場所や種々の情報をＡＩにて取得判別し、飛行先を決定することを特徴とする請求項１又は請求項２記載のランドセル。
【発明の詳細な説明】
【技術分野】
【０００１】本発明は、フレキシブルディスプレイ及び小型無人航空機を備えた電子装置を搭載したランドセルに関するものである。
【背景技術】
【０００２】今までのランドセルの機能は、荷物を運ぶためのものとしての用途に限定されていた。【０００３】
【発明の概要】
【発明が解決しようとする課題】
【０００４】  したがって、改良されたランドセルを提供できることが望まれる。
【課題を解決するための手段】
【０００５】  ランドセルには、フレキシブルディスプレイ及び電子装置が設けられる。このフレキシブルディスプレイは、１つ以上のフレキシブルな層より成り、そしてカバー層の上又は下に搭載される。電子装置には、無人航空機を搭載することを可能とする。
【発明の効果】
【０００６】  以上のように、本技術によれば、局面を活かしたデザインに対応するべくフレキシブルディスプレイを採用、平常時には、お好みのキャラクターを表示、災害時には、天気や痴漢、ＰＴＡ、災害等種々の情報表示することで、本発明品を持参する本人だけでなく、周辺の人に周知を可能とする。さらには、本発明品の小型無人航空機ポートに搭載された小型無人航空機によって、平常時には、歩行ナビゲーターとして、災害時や緊急時には、予め設定された場所や種々の状況ＡＩによって判断し、飛行経路を決定することが提供できる。
【図面の簡単な説明】
【０００７】
【図１】本発明の一実施形態に係るランドセルである。
【図２】本発明の他の実施形態に係るランドセルである。
【図３】本発明の他の実施形態に係るランドセルである。
【図４】本発明の肩掛け部形態である。
【図５】本発明のハードウエア構成に関するものである。
【図６】本発明のフローチャートに関するものである。
【発明を実施するための形態】
【０００８】  電子装置には、ユーザインターフェイスコンポーネント（入力／出力コンポーネント）、例えば、ボタン、マイクロホン、スピーカ、圧電アクチュエータ（電気的入力又はユーザへの触覚フィードバックを受け取るための）、又は他のアクチュエータ、例えば、バイブレータ、圧力センサ、及び他のコンポーネントも設けられる。これらのコンポーネントは、フレキシブルディスプレイの部分の下若しくは、荷物入れである本体に搭載される。
【０００９】  電子装置の動作中に、ディスプレイのフレキシビリティのために、ユーザは、ディスプレイを通してコンポーネントと相互作用することができる。又、フレキシブルディスプレイは、内部マイクロホン、圧力センサ或いは力センサ（又は他の内部コンポーネント）で外部入力を受け取れるようにする。ユーザは、フレキシブルディスプレイを通して気圧を監視することができ、又はフレキシブルディスプレイを通して音波を受信することができる。
【００１０】  ディスプレイベースのスピーカ構造体を周囲のハウジング構造体に取り付けるために懸架構造体が使用される。
【００１１】  スピーカ構造体は、望ましい周波数応答を達成するように構成される。スピーカ構造体が搭載される電子装置ハウジングには、スピーカ周波数応答をチューニングするために音響ポートが設けられる。スピーカに使用されるトランスジューサの形式は、スピーカ周波数応答をチューニングするように選択される。スピーカの体積及びスピーカの質量に影響する内部装置コンポーネントのサイズ及び配置も、スピーカ周波数応答をチューニングするように選択される。
【００１２】    搭載された電子装置を使用せず、スマートフォンやタブレット等のモバイル外部電子機器に接続し、ディスプレイにコンテンツを表示することも可能とする。
【００１３】  ディスプレイはランドセルの外側前面または／及び側面の全域または一部に設けられている。
【００１４】  ディスプレイとしては、種々のディスプレイを採用可能であるが、軽量化の観点から有機ＥＬを採用することが好ましい。
【００１５】  ディスプレイの操作部は、ランドセルの肩掛け部に設けられる。ディスプレイの上端部（基端部）には、肩掛け部の操作部に接続される入力部が設けられている。
【００１６】  肩掛け部においてもディスプレイが搭載され、ユーザは、ディスプレイを通してコンポーネントと相互作用することができる。又、フレキシブルディスプレイは、内部マイクロホン、圧力センサ或いは力センサ（又は他の内部コンポーネント）で外部入力を受け取れるようにする。ユーザは、フレキシブルディスプレイを通して気圧を監視することができ、又はフレキシブルディスプレイを通して音波を受信することができる。
【００１７】  本装置への電力供給は、接触型及び非接触型のバッテリーとし、外部より電源を取り入れるようにすることができる。
【００１８】  ロールタイプにおけるフレキシブルディスプレイは、端側がカバー部に接続されることで、当該フレキシブルディスプレイの表示部が平面状となるように構成されていることを特徴とするランドセル。
カバー部およびフレキシブルディスプレイのいずれかは、内側に空間が形成された筒状のカバー部であり、端側がカバー部に接続されていないときには、前記フレキシブルディスプレイの一部がカバー部およびフレキシブルディスプレイのいずれかは、内側に収容されることを特徴とするランドセル。
【００１９】  小型無人航空機は、小型無人航空機ポートに搭載される。小型無人航空機が電子装置を一体化することが好ましい。
【符号の説明】Ｘ１  カバー部
Ｘ２  収納部
Ｘ３  フレキシブルディスプレイ
Ｘ４  電源
Ｘ５  小型無人航空機
Ｘ６  小型無人航空機ポート
Ｘ７  外部ネットワーク
Ｘ８  肩掛け部
Ｘ９  操作部
【図１】
2019088743.tif 000003
【図２】
2019088743.tif 000004
【図３】
2019088743.tif 000005
【図４】
2019088743.tif 000006
【図５】
2019088743.tif 000007
【図６】
2019088743.tif 000008